(57)【要約】【課題】吐水具スタンドの回動機構の損傷などを防止し、適切な節度感を常に得ることができる吐水具スタンドを提供すること。【解決手段】横断面非真円形状の継手管１６と、継手管１６の先端に接続固定されるとともにシャワーヘッド１２を支持する吐水具ホルダ１４と、継手管１６が回動可能かつ継手管１６軸心方向に摺動可能に挿通されるとともに、天板１に固定されるホルダ１８と、継手管１６が継手管１６軸心方向に摺動可能に挿通されるとともに、継手管１６の横断面外形と略同一形状であって、継手管１６の軸心回り方向に嵌合する挿通孔３４を備え、ホルダ１８に対して回動可能な回動体３２と、を備える吐水具スタンド１０であって、ホルダ１８に、継手管１６軸心回り方向に沿って複数の凸部２４を形成し、回動体３２に、凸部２４と弾発的に係合する係合片３６を弾性変形可能に形成した。【選択図】　　図２
2004100405.tif 000002
【特許請求の範囲】
【請求項１】
横断面非真円形状の継手管と、
該継手管の先端に接続固定されるとともに吐水具を支持する吐水具ホルダと、前記継手管が回動可能かつ継手管軸心方向に摺動可能に挿通されるとともに、天板等の取付部に固定されるホルダと、
前記継手管が継手管軸心方向に摺動可能に挿通されるとともに、前記継手管の横断面外形と略同一形状であって、継手管の軸心回り方向に嵌合する挿通孔を備え、前記ホルダに対して回動可能な回動体と、
を備える吐水具スタンドであって、
前記ホルダまたは前記回動体の一方には、前記継手管軸心回り方向に沿って複数の凸状部または凹状部が形成され、他方には、前記凸状部または凹状部と弾発的に係合する係合片が弾性変形可能に形成されたことを特徴とする吐水具スタンド。
【発明の詳細な説明】
【０００１】
【発明の属する技術分野】
本発明は、継手管先端に吐水具ホルダが取り付けられ、継手管が回動可能且つ継手管軸心方向に摺動可能に挿通された吐水具スタンドに関する。
【０００２】
【従来の技術】
従来、継手管（スライドパイプ）先端に吐水具ホルダが取り付けられ、継手管が回動可能且つ継手管軸心方向に摺動可能に挿通された吐水具スタンドでは、洗面台の天板に取付けた支持部材の挿孔に、継手管を上下の摺動と高さの位置決め自在に支承し、該継手管部先端にはスリットにより分割された弾性変形可能な突起及び雄セレーション部を周方向へ交互に形成し、シャワーヘッドを支持する吐水具ホルダの下端部内周には、継手管の突起と弾力的に係合する段部及び雄セレーション部と弾力的に嵌合する雌セレーション部を形成し、前記継手管と吐水具ホルダの結合により、吐水具ホルダが上下への摺動と周方向への回転を可能にしたものが知られている（特許文献１参照。）。
【０００３】
【特許文献１】
特開平１１−３５０５５７号公報（第２、３頁、図１）
【０００４】
【発明が解決しようとする課題】
このような従来の吐水具スタンドでは、継手管の先端に吐水具ホルダを回動自在に組み付け、吐水具ホルダが継手管に対して回動する際に節度感を得ることとしているのであるが、シャワーヘッドや吐水具ホルダーに衝撃などが加わった場合に、上記した吐水具スタンドの回動機構が損傷を受け易く、特に、節度感を与えるために形成したセレーションなどが損傷した結果、適切な節度感が失われてしまうという恐れがあった。また、場合によっては吐水具ホルダが継手管から外れてしまうという恐れもあった。
【０００５】
本発明は上記した従来の吐水具スタンドの問題点を解消するものであり、吐水具スタンドの回動機構の損傷などを防止し、適切な節度感を常に得ることができる吐水具スタンドを提供することを目的とする。
【０００６】
【課題を解決するための手段】
以上の課題を解決するために、本発明の採った手段を以下に説明する。本発明は、横断面非真円形状の継手管と、該継手管の先端に接続固定されるとともに吐水具を支持する吐水具ホルダと、前記継手管が回動可能かつ継手管軸心方向に摺動可能に挿通されるとともに、天板等の取付部に固定されるホルダと、前記継手管が継手管軸心方向に摺動可能に挿通されるとともに、前記継手管の横断面外形と略同一形状であって、継手管の軸心回り方向に嵌合する挿通孔を備え、前記ホルダに対して回動可能な回動体と、を備える吐水具スタンドであって、前記ホルダまたは前記回動体の一方には、前記継手管軸心回り方向に沿って複数の凸状部または凹状部が形成され、他方には、前記凸状部または凹状部と弾発的に係合する係合片が弾性変形可能に形成されたことを特徴とするものである。
【０００７】
天板等に固定されるホルダに対して回動可能な回動体を設けて、これらのホルダ及び回動体のいずれか一方に複数以上の凸状部または凹状部を設け、他方にはこれに弾発的に係合する係合片を設けることにより、継手管とともに回動する回動体が回動する際に節度感が与えられる。回動体には、継手管がその軸心方向に摺動可能に挿通されており、継手管に接続固定される吐水具ホルダを昇降させることができる。一方、回動体の挿通孔は、継手管と同様に、非真円形状に形成されており、この挿通孔に継手管がその軸心回り方向に嵌合して、継手管の回動体に対する相対的回動が規制されている。よって、回動体に対して継手管は、その軸心方向に摺動可能に挿通されるとともに、継手管を回動させると、回動体もともに継手管軸心回りに回動するように設けられている。このように構成することにより、吐水具ホルダに支持される吐水具を昇降可能、回動可能に設けるとともに、回動操作時には適度な節度感（クリック感）を得ることができる。
【０００８】
また、ホルダと回動体との間で節度感を生じさせることとしており、継手管の端部に節度感を生じさせるための別部材を取り付けるなどの必要はない。よって、吐水具ホルダと継手管との間に両者が相対的に回動可能となるような機構を設ける必要が無く、吐水具ホルダと継手管とを堅固に固定することができる。したがって、吐水具ホルダや吐水具に衝撃などが加わった場合でも、吐水具ホルダと継手管との間の回動機構が損傷を受けるおそれが少ない。また、横断面非真円形状の継手管を用いるだけで、既存の吐水具ホルダなどを利用してかかる機構を実現できるので、継手管自体やホルダ自体に、節度感を生じさせるための突起やセレーションなどを加工する必要がなく、この種の吐水具スタンドが容易に製造できる。また、横断面非真円形状の継手管とこれに略合致する挿通孔を備えた回動体を用いるだけで両者の相対的回動を規制することができ、両者の相対的回動の規制のための部材を別途必要とはしない。よって、部品点数を削減できる。
【０００９】
ここで、「吐水具」はシャワーヘッドや吐水口等、湯や水などを吐出する種々の水栓部品をいう。ホルダまたは回動体の一方には、凸状部または凹状部のいずれかを設ければ良く、また、継手管軸心回り方向に沿って設けられれば、その設けられる部位は限定されない。例えば、ホルダの外周面、内周面や開口部端面などの部位に設けることができる。また、係合片には、凸状部または凹状部に係合する係合突起を設けることができる。このような係合突起を設けることにより、節度感を適切・確実に生ぜしめることができる。また、回動体及びホルダを被覆するカバーを設けることとしても良い。このようなカバーにより回動体及びホルダを被覆することにより、吐水具スタンドの美観を向上させることができる。
【００１０】
【発明の実施の形態】
次に、本発明の吐水具スタンドの実施の形態を図１から図６を参考にして詳細に説明する。図１に示すように、本発明の吐水具スタンド１０は、天板１の取付孔２に挿通固定され、その先端にシャワーヘッド１２を支持し、継手管１６を天板１に対して上下に昇降可能に設けられるとともに、継手管１６の軸心回りに回動可能に設けられたものである。
【００１１】
シャワーヘッド１２は、合成樹脂製の吐水具ホルダ１４先端に着脱自在に支持されており、必要に応じて、その基端部側に接続され天板１裏側に引き回されたシャワーホース（図示省略）とともに引き出し自在に支持されている。吐水具ホルダ１４は、上述したように、その先端側にシャワーヘッド１２を着脱自在に支持可能に設けられ、基端側には合成樹脂製の継手管１６が接着固定されている。吐水具ホルダ１４は、その先端側が緩やかに屈曲されており、先端に支持するシャワーヘッド１２の吐水方向が、吐水具スタンド１０手前側に設けられた洗面ボウル等（図示省略）の中央に向けられ、吐水が洗面ボウル外に飛散し難く設けられている。そして、継手管１６は、後述するホルダ１８等に挿通されて、天板１に取り付けられている。
【００１２】
継手管１６は、図３に示すように、その断面が略四角状に形成されている。また、後述するが、図１及び図４に示すようにその外周面下端寄りには、ホルダ１８の内径よりも大径のＣリング５２を嵌着することのできる５つの周溝５０が周設されている。
【００１３】
図１乃至図４に示すように、継手管１６は、合成樹脂製のホルダ１８、回動体３２、カバー４０に、その軸心方向に摺動自在に挿通されている。図２及び図４に示すように、ホルダ１８は、全体が略円筒形状に形成されている。ホルダ１８には、その長手方向の一端側に設けられ天板１に固定する際にスリップ板４を介在させてナット３が螺着される雄ねじ部２０と、この雄ねじ部２０の他端側に設けられ、その外周面に周方向に凸部２４が連設された内筒部２２と、内筒部２２の奥端側より突設されて内筒部２２外側に開口された外筒部２６と、が備えられている。雄ねじ部２０は天板１の取付孔２の内径よりも小さな外径に設けられ、一方、外筒部２６は取付孔２の内径よりも大きな外径に設けられ、取付孔２に上方より雄ねじ部２０を挿通して外筒部２６によりホルダ１８が天板１に係止される。
【００１４】
雄ねじ部２０の先端には小径部２８が設けられている。そして、この小径部２８先端には、ホルダ１８の軸心を挟んで対向する位置にそれぞれ突設され、ホルダ１８の径方向に弾性的に可撓可能な突設片２３が備えられている。この突設片２３の内周面には、雄ねじ部２０の周方向に沿って形成され、後述するＣリング５２が係合する溝２１が設けられている。また、外筒部２６の開口端部には、カバー４０が取り付けられるフランジ部３０が周設されている。そして、内筒部２２の外周面には、外筒部２６内周面と向き合うように、内筒部２２の周方向に沿って多数の凸部２４が等間隔に連設されている。また、ホルダ１８の挿通孔２５の内径は、継手管１６の最大外径よりわずかに小さく形成されて、継手管１６がその軸心方向に摺動可能に設けられている。また、図３に示すように、挿通孔２５は、その横断面は継手管１６が内設する真円形状に設けられており、挿通される継手管１６が、この挿通孔２５内で回動可能に設けられている。
【００１５】
ホルダ１８の外筒部２６と内筒部２２との間には、回動体３２が回動自在に組み付けられている。回動体３２は、全体が有底円筒形状に形成されて、その底部に、継手管１６が挿通される挿通孔３４が形成されている。挿通孔３４は平面視略四角の形状に設けられ、継手管１６の外径横断面形状に略合致し、継手管１６にその軸心回りにおいて嵌合している。よって、この挿通孔３４に挿通された継手管１６と回動体３２とは相対的に回動が規制され、継手管１６が回動されると回動体３２も共に回動されるように設けられている。
【００１６】
また、回動体３２の側部には、その径方向に弾性的に可撓可能に突設された舌片状の２つの係合片３６が設けられている。係合片３６の先端寄り内側には、ホルダ１８の凸部２４と弾発的に係合する係合突起３８が形成されている。これらの２つの係合片３６に設けられた係合突起３８間の間隔は、ホルダ１８の軸心を挟んだ凸部２４の頂点間の長さよりも短く設けられており、ホルダ１８の内筒部２２と外筒部２６との間に組み付けられた回動体３２が継手管１６の回動に伴い回動する際に、係合突起３８が凸部２４を乗り越えるようにして内筒部２２に圧着されるように設けられている。また、係合片３６を回動体３２軸心を挟んで対向する位置にそれぞれ設けることにより、継手管１６に一方向から力が加えられた状態でも、係合突起３８が凸部２４に安定的に係合するように設けられている。
【００１７】
回動体３２の上方には、さらに、継手管１６がその挿通孔４２に挿通されて、カバー４０が取り付けられている。カバー４０は全体が有底円筒形状に形成されて、その底部に、継手管１６が挿通される挿通孔４２が形成されている。挿通孔４２は平面視略四角の形状に設けられ、継手管１６の外径横断面形状に略合致し継手管１６にその軸心回りにおいて嵌合している。よって、この挿通孔４２に挿通された継手管１６とカバー４０とは相対的に回動が規制されており、継手管１６が回動されるとカバー４０も共に回動されるように設けられている。カバー４０の側部には、周方向に等間隔に、内方上向きに突設された３つの係止突起４４が形成されており、ホルダ１８の外筒部２６にカバー４０を被覆する際に、カバー４０の開口部を外筒部に圧入し、ホルダ１８のフランジ部３０が係止突起４４を乗り越え、係止突起４４によりフランジ部３０が係止されて、カバー４０がホルダ１８に取り付けられ、このカバー４０により回動体３２等が被覆されている。また、カバー４０の挿通孔４２裏側周縁には、周回状の突状部４６が形成されており、この突状部４６内側にＹパッキン４８が取り付けられて、継手管１６と挿通孔４２との間からの湯・水の浸入が防止されている。
【００１８】
このように構成された吐水具スタンド１０では、吐水具ホルダ１４を回動させて、例えば、その先端に支持されるシャワーヘッド１２からの吐水方向を変える際に、吐水具ホルダ１４に接続固定された継手管１６が吐水具ホルダ１４とともに回動される。また、継手管１６に略嵌合する回動体３２及びカバー４０は、ホルダ１８に対して、継手管１６とともに回動する。一方、ホルダ１８は天板１に対して固定されたままであり、回動はしない。この際に、上述したように、回動体３２の係合片３６が撓みながら、係合突起３８がホルダ１８側の凸部２４を順次乗り越えつつ回動体３２が回動され、凸部２４を乗り越える際に適度の節度感が付与されるとともに、シャワーヘッド１２の吐水方向を任意の方向に変更してその吐水方向を保持することができる。なお、この係合突起３８と凸部２４とが係合された状態では、湯水吐水時の反力や使用者の手が軽く触れた程度では回動体３２は回転することはなく、シャワーヘッド１２の吐水方向を安定的に保持することができる。また、吐水具ホルダ１４がどのような高さに位置されていてもホルダ１８と回動体３２との上下方向の相対位置は変わらないため、このような節度感や、シャワーヘッド１２の安定的な保持を、吐水具ホルダ１４の位置にかかわらず常に得ることができる。また、吐水具ホルダ１４と継手管１６との間に節度感を生じさせる部材を設けたりすることなく、継手管１６のうち、比較的長いホルダ４８に収容されホルダ１８に対して比較的傾きの少ない部位において節度感を生じさせる部材を設けているので、継手管１６が傾いたために係合片３６と凸部２４との係合度合いが変化して節度感が変わってしまうというおそれが少ない。
【００１９】
また、図５及び図６に示すように、吐水具ホルダ１４を上方に引き上げた場合には、継手管１６の周溝５０に嵌着されたＣリング５２が、ホルダ１８の下部端面及び突設片２３の溝２１に係合されて、吐水具ホルダ１４及び継手管１６の上方へのそれ以上の移動を規制し、継手管１６の抜け防止を行う。これらの５つの周溝５０には、いずれにもＣリング５２を嵌着することができるので、Ｃリング５２を取り付ける周溝５０を変更することで吐水具ホルダ１４の昇降量を調節することができ、吐水具ホルダ１４の引き出し量を調節して、吐水具スタンド１０上方周辺のキャビネットなどに干渉しない引き出し量の設定を容易に行うことができる。一方、吐水具ホルダ１４を下方に引き下げた場合には、吐水具ホルダ１４の下部端面がカバー４０上に当接して吐水具ホルダ１４の下方への移動が規制される。
【００２０】
本発明は、上記した実施の形態に限られることなく、特許請求の範囲に記載の趣旨の範囲内で種々の変更が可能である。例えば、継手管１６、回動体３２の挿通孔３４及びカバー４０の挿通孔４２は、横断面略四角形状としたが、これに限られず、例えば、楕円や三角形状など、嵌合して相対的回動が規制される非真円形状であれば良い。
【００２１】
次いで、図７に示す別の吐水具スタンド６０について説明する。本吐水具スタンド６０は、カバー６２が吐水具ホルダ１４や継手管１６の回動とともに共回りせず、ホルダ６４に対して固定された状態となるものである。図７に示すように、吐水具スタンド６０には、ホルダ６４、回動体３２、上部回動体６６、Ｙパッキン４８及びカバー６２が備えられている。なお、以下、上記吐水具スタンド１０と共通する構成については、同一の符号を付して説明を省略する。
【００２２】
ホルダ６４は、雄ねじ部２０、内筒部２２、凸部２４、小径部２８、突設片２３等が設けられるとともに、円筒状の外筒部６８が備えられる。外筒部６８の外周面には、カバー６２の３つの係止突起４４がそれぞれ係止される３つの係止凹部７０が形成されている。係止凹部７０は、外筒部６８下端から外筒部６８上方にかけて凹設されており、この係止凹部７０に係止突起４４が係止されることにより、カバー６２の抜け止め及び回動を規制することができる。
【００２３】
ホルダ６４の外筒部６８と内筒部２２との間には、回動体３２が回動自在に組み付けられている。回動体３２の外周面には、上部回動体６６の２つの係止凸部７２がそれぞれ係止される係止凹部７４が設けられている。これらの係止凹部７４は、回動体３２の軸心を挟んで対向する位置にそれぞれ設けられており、上部回動体６６が回動体３２に安定的に取り付けられるように構成されている。また、継手管１６が軸心方向に挿通される挿通孔３４は、平面視略四角の形状に設けられ、継手管１６の外径横断面形状に略合致し、その軸心回りにおいて嵌合している。
【００２４】
上部回動体６６は、全体がその内部に回動体３２が納まるお椀状に形成されるとともに継手管１６が挿通される挿通孔７６が形成されている。挿通孔７６は、上記した挿通孔３４と同様に、平面視略四角の形状に設けられ、継手管１６の外径横断面形状に略合致し、その軸心回りにおいて嵌合している。また、挿通孔７６の外周には、後述するカバー６２内部に周設された真円状の周溝（図示省略）に嵌合摺接する、外形が真円状に形成された段部７８が周設されている。なお、回動体３２と上部回動体６６との間にはＹパッキン４８が介在され水密が図られている。
【００２５】
そして、この上部回動体６６の上部に、カバー６２が取り付けられている。カバー６２は、カバー４０と同様に、全体が有底円筒形状に形成され、その底部に継手管１６をその軸心方向に挿通する挿通孔８０が形成されている。カバー６２には、上記したように係止突起４４が形成されており、これらがホルダ６４の係止凹部７０に係止されることにより、カバー６２の抜け防止及びホルダ６４に対する相対的回動が規制されている。一方、挿通孔８０は真円状に形成されており、これに挿通する継手管１６が軸心方向に挿通自在かつ、軸心回りにおいて回動自在に設けられている。よって、継手管１６の上下動又は回動に拘わらず、カバー６２は、ホルダ６４に対して固定された状態とされる。このように構成することにより、カバー６２と天板１との間に異物等が挟まったり、天板１の平面度によりカバー６２と天板との干渉状態が発生するような場合であっても、カバー６２は天板１に対して固定されたままなので、かかる要因によって、継手管１６及び吐水具ホルダ１４を回動操作する際の荷重変化による違和感が生じることはない。また、継手管１６の回動操作に伴って、回動体３２及び上部回動体６６は継手管１６とともに回動するが、回動時においても上部回動体６６の段部７８がカバー６２内部の周溝に摺接した状態とされているので、上部回動体６６はカバー６２に対して傾き難く、安定的に回動される。よって、回動体３２との間に介在されたＹパッキン４８の潰し具合を常に適切なものとすることができ、確実な水密を行うことができる。
【００２６】
次いで、別のホルダ８４、回動体８８について図８を参考にして説明する。このホルダ８４、回動体８８は、上記した吐水具スタンド１０，６０と異なり、ホルダ８４側に係合片８６を、回動体８８側に凸部９０を設けたものである。ホルダ８４は、略円筒形状に形成され、雄ねじ部２０と反対側に大径部９２を備えている。大径部９２の側部には、軸心を挟んでほぼ対向する位置に、大径部９２の径方向に弾性的に可撓可能な２つの係合片８６が横方向に突設されている。係合片８６の先端寄り内側には、後述する回動体８８の凸部９０に弾発的に係合する係合突起９４が形成されている。また、軸心方向に短い略円筒形状に形成された回動体８８は、その一端側の外周面に多数の凸部９０が等間隔に周設されている。また、回動体８８の挿通孔９６は、平面視略四角の形状に設けられて継手管１６の外径横断面形状に略合致し、継手管１６を挿通自在かつその軸心回りにおいては回動不能に嵌合するように設けられている。このような回動体８８に挿通された継手管１６が回動されると、ホルダ８４に対して回動体８８も併せて回動されるが、この際に、ホルダ８４の係合片８６が撓みながら、係合突起９４が回動体８８側の凸部９０を順次乗り越えつつ回動体８８が回動され、凸部９０を乗り越える際に適度の節度感が付与されるとともに、シャワーヘッド１２の吐水方向を任意の方向に変更してその吐水方向を保持することができる。
【００２７】
【発明の効果】
本発明の吐水具スタンドは上記のように構成されているので、吐水具スタンドの回動機構の損傷などを防止し、適切な節度感を常に得ることができるという効果を奏する。
【図面の簡単な説明】
【図１】吐水具スタンドの一部縦断面図である。
【図２】図１の吐水具スタンドの要部拡大縦断面図である。
【図３】図２のＢ−Ｂ線断面図である。
【図４】図１の吐水具スタンドの一部分解斜視図である。
【図５】図１の吐水具スタンドのホルダ及び継手管の一部拡大縦断面図である。
【図６】図１の吐水具スタンドのホルダ及び継手管の一部斜視図である。
【図７】別の吐水具スタンドの一部分解斜視図である。
【図８】さらに別のホルダ及び回動体の分解斜視図である。
【符号の説明】
１；天板、２；取付孔、３；ナット、４；スリップ板、１０；吐水具スタンド、１２；シャワーヘッド、１４；吐水具ホルダ、１６；継手管、１８；ホルダ、２０；雄ねじ部、２１；溝、２２；内筒部、２３；突設片、２４；凸部、２５；挿通孔、２６；外筒部、２８；小径部、３０；フランジ部、３２；回動体、３４；挿通孔、３６；係合片、３８；係合突起、４０；カバー、４２；挿通孔、４４；係止突起、４６；突状部、４８；Ｙパッキン、５０；周溝、５２；Ｃリング、６０；吐水具スタンド、６２；カバー、６４；ホルダ、６６；上部回動体、６８；外筒部、７０；係止凹部、７２；係止凸部、７４；係止凹部、７６；挿通孔、７８；段部、８０；挿通孔、８４；ホルダ８４、８６；係合片、８８；回動体、９０；凸部、９２；大径部、９４；係合突起、９６；挿通孔。
【図１】
2004100405.tif 000003
【図２】
2004100405.tif 000004
【図３】
2004100405.tif 000005
【図４】
2004100405.tif 000006
【図５】
2004100405.tif 000007
【図６】
2004100405.tif 000008
【図７】
2004100405.tif 000009
【図８】
2004100405.tif 000010